(57)【要約】【課題】商品の使用中においては確実に商品面に貼着されていて剥離しないが、分別回収や分別廃棄する際には商品から容易に剥離することができるラベルを提供する。【解決手段】容器等の物品Ｂの周囲に１回巻きにて巻き付けて、その巻き付け方向の一端部１ａの裏面を他端部１ｂの表面に重ね合わせて貼着されるラベルＡにおいて、ラベル基材１の他端部１ａの裏面に、感熱性接着剤層を塗布形成した接着領域２が設けられ、該接着領域内には接着剤層の塗布形成されていない非接着領域３が部分的に形成され、該ラベル基材１の他端部１ｂの裏面には必要に応じて仮止め用接着剤層４が設けられている。【選択図】図１
2007086595.tif 000002
【特許請求の範囲】
【請求項１】
容器等の物品の周囲に１回巻きにて巻き付けて、その巻き付け方向の一端部１ａの裏面を他端部１ｂの表面に重ね合わせて貼着されるラベルにおいて、ラベル基材１の一端部１ａの裏面に感熱性接着剤層を塗布形成した接着領域２が設けられ、該接着領域内には、接着剤層の塗布形成されていない非接着領域３が部分的に形成されていることを特徴とする分別回収用の易剥離ラベル。
【請求項２】
請求項１記載の分別回収用の易剥離ラベルにおいて、前記ラベル基材１の他端部１ｂの裏面に、該ラベル基材１の他端部１ｂを仮止めするための感圧接着剤層又は感熱性感圧接着剤層による易剥離性の仮止め接着領域４が形成されていることを特徴とする分別回収用の易剥離ラベル。
【請求項３】
請求項１又は２記載の分別回収用の易剥離ラベルにおいて、前記ラベル基材１の一端部１ａの接着領域２内の非接着領域３が、規則的又は不規則的なパターン形状であることを特徴とする分別回収用の易剥離ラベル。
【請求項４】
請求項１乃至３のいずれか１項記載の分別回収用の易剥離ラベルにおいて、前記ラベル基材１の一端部１ａの接着領域２内の非接着領域３が、矩形状、多角形状、円形状、楕円形状、長円形状、あるいは矩形ドット状、多角形ドット状、円形ドット状、楕円形ドット状、長円形ドット状等のパターン状領域であることを特徴とする分別回収用の易剥離ラベル。
【発明の詳細な説明】
【技術分野】
【０００１】
本発明は、容器等の物品の周囲に巻き付けて、巻き付け方向の一端部の裏面を他端部の表面に重ね合わせて貼着されるラベルに関し、特に、物品から剥離し易い分別回収用の易剥離ラベルに関する。
【背景技術】
【０００２】
一般に、ガラス瓶等のガラス容器や、プラスチックボトル容器等の商品には、商品の情報を表示するための商業用ラベルが貼着されており、使い終えた後の商品は、材料として再生利用したり、廃棄処理し易くするために、貼着されているラベルを剥がして回収することが行われている。
【０００３】
このように商品に貼着されているラベルを剥がす作業は、例えば、ラベルの貼着された容器等の商品を、水や湯、あるいはアルカリ水溶液や有機溶剤等に漬けて、ラベル裏面の接着剤を膨潤させて、商品面からラベルを剥がし易くした後に、ブラシ等にて擦り取るものであり、手間が掛かっていた。
【０００４】
そのために、このようなラベルは、分別回収の点では、商品の使用中には確実に貼着されていて耐性があってなかなか剥離しないが、商品を回収した後の再生利用や廃棄処理においては剥離し易いことが望まれている。また、分別廃棄の点でも、消費者によって容易に手軽にラベルを剥離できるようにすることが望まれる。
【発明の開示】
【発明が解決しようとする課題】
【０００５】
本発明の課題は、商品の使用中においては、確実に商品面に貼着されていて剥離しないが、分別回収や分別廃棄する際には、商品から容易に剥離することができるラベルを提供することにある。
【課題を解決するための手段】
【０００６】
本発明の請求項１に係る発明は、容器等の物品の周囲に１回巻きにて巻き付けて、その巻き付け方向の一端部１ａの裏面を他端部１ｂの表面に重ね合わせて貼着されるラベルにおいて、ラベル基材１の一端部１ａの裏面に感熱性接着剤層を塗布形成した接着領域２が設けられ、該接着領域内には、接着剤層の塗布形成されていない非接着領域３が部分的に形成されていることを特徴とする分別回収用の易剥離ラベルである。
【０００７】
本発明の請求項２に係る発明は、上記請求項１に係る分別回収用の易剥離ラベルにおいて、前記ラベル基材１の他端部１ｂの裏面に、該ラベル基材１の他端部１ｂを仮止めするための感圧接着剤層又は感熱性感圧接着剤層による易剥離性の仮止め接着領域４が形成されていることを特徴とする分別回収用の易剥離ラベルである。
【０００８】
本発明の請求項３に係る発明は、上記請求項１又は２に係る分別回収用の易剥離ラベルにおいて、前記ラベル基材１の一端部１ａの接着領域２内の非接着領域３が、規則的又は不規則的なパターン形状であることを特徴とする分別回収用の易剥離ラベルである。
【０００９】
本発明の請求項４に係る発明は、上記請求項１乃至３のいずれか１項に係る分別回収用の易剥離ラベルにおいて、前記ラベル基材１の一端部１ａの接着領域２内の非接着領域３が、矩形状、多角形状、円形状、楕円形状、長円形状、あるいは矩形ドット状、多角形ドット状、円形ドット状、楕円形ドット状、長円形ドット状等のパターン状領域であること
を特徴とする分別回収用の易剥離ラベルである。
【発明の効果】
【００１０】
本発明の分別回収用の易剥離ラベルは、ラベル基材１の一端部１ａの裏面に、感熱性接着剤層又は感熱性感圧接着剤層を塗布形成した接着領域２が設けられ、該接着領域２内には、接着剤層の塗布形成されていない非接着領域３が部分的に形成されている。
【００１１】
このように本発明の易剥離ラベルは、ラベル基材１の裏面に設けた接着領域２は、該ラベル基材１の裏面の全面には形成されておらず、該ラベル基材１裏面の一端部１ａのみに部分的に形成されている。しかも、その接着領域２の領域内には、接着剤層の無い非接着領域３が形成されているため、実質的な接着領域２の接着有効面積は狭くなる。
【００１２】
本発明の易剥離ラベルを容器等の物品の表面に取り付ける場合は、ラベルを物品の周面に１回巻きにて巻き付けた後に、該ラベルの一端部１ａ裏面を、他端部１ｂ表面上に重ね合わせた後に加熱手段にて加熱する。そして該ラベル一端部１ａと他端部１ｂとの重ね合わせ内面にある接着領域２の感熱性接着剤層又は感熱性感圧接着剤層により融着することにより取り付けることができる。
【００１３】
また、本発明ラベルを容器等の物品の表面に巻き付ける場合、物品の周面に、ラベルの巻き付け方向の一端部１ａから他端部１ｂ側の方向に向かって、又は他端部１ｂから一端部１ａ側の方向に向かって１回巻きにて巻き付ける。
【００１４】
その際に、ラベルの一端部１ｂ裏面に、易剥離可能な感圧接着剤（粘着剤）層又は感熱性感圧接着剤（感熱性粘着剤）層による仮止め接着領域４を設けることにより、該仮止め接着領域４にて該ラベルの一端部１ｂを、物品の表面に仮り貼着固定することができる。この仮り貼着固定により、ラベルを貼着すべき位置に位置決め固定して物品に正確に巻き付けることができる。
【発明を実施するための最良の形態】
【００１５】
本発明の分別回収用の易剥離ラベルの実施の形態を、図１（ａ）のラベルの平面図に基づいて以下に詳細に説明すれば、本発明のラベルＡは、ラベル基材１の巻き付け方向（両矢印方向）の一端部１ａに所定の幅ｗの接着領域２が設けられている。なお、ラベル基材１の材料としては、紙、プラスチックフィルム（シート）、金属箔、蒸着金属層等、あるいはそれらの複合材による積層シートを使用することができる。
【００１６】
前記接着領域２は、感熱性接着剤（加熱融着性接着剤）による感熱性接着剤層を塗布形成することにより形成されていて、該接着領域２内には、感熱性接着剤層の塗布形成されていない非接着領域３が部分的に形成されている。また、前記接着領域２内の非接着領域３内には、該接着領域２（外側の接着領域）に対して間隔（感熱性接着剤層の塗布形成されていない非接着領域）を置いて、さらに感熱性接着剤層を塗布形成した内側の接着領域２が形成されていてもよい。
【００１７】
本発明のラベルＡは、接着領域２に塗布形成された感熱性接着剤（加熱融着性接着剤）による感熱性接着剤層により、容器等の物品の周面に巻き付けて貼着固定されるものであるが、該接着領域２の領域内に形成された前記非接着領域３は、物品に貼着された後のラベルＡが物品から容易に剥離できるようにするために設けたものである。
【００１８】
本発明のラベルＡにおける該非接着領域３の領域面積値は、本発明においては特に限定されるものではないものの、接着領域２における感熱性接着剤層による感熱接着力が、物品に対するラベルの接着耐性（剥離強度）や貼着適性を損なわない程度に設定することが
必要である。
【００１９】
また、図１（ａ）に示すように、接着領域２内に設ける非接着領域３の配置に関してはラベルＡの一端部１ａ側の接着領域２の外端縁からの距離ｄ1 、他端部１b 側の接着領域２の内端縁からの距離ｄ2 、ラベルＡの上端縁からの距離ｈ1 、下端縁からの距離ｈ2 などを適宜に設定することができる。
【００２０】
例えば、接着領域２の幅ｗは、１０ｍｍ≦ｗ≦１５ｍｍ、外端縁からの距離ｄ1 又は／及び内端縁からの距離ｄ2 は、１ｍｍ≦ｈ1 ≦３ｍｍ、１ｍｍ≦ｈ2 ≦３ｍｍ、ラベルＡの上端縁からの距離ｈ1 又は／及び下端縁からの距離ｈ2 は、１ｍｍ≦ｈ1 ≦３ｍｍ、１ｍｍ≦ｈ2 ≦３ｍｍが適当である。
【００２１】
またラベルＡの上端縁からの距離ｈ1 又は／及び下端縁からの距離ｈ2 は、ｈ1 ＝０、ｈ2 ＝０であってもよく、また外端縁からの距離ｄ1 は、ラベルＡの幅ｗ方向に部分的にｄ1 ＝０であってもよく、また内端縁からの距離ｄ2 は、ラベルＡの幅ｗ方向に全部がｄ2 ＝０、若しくはラベルＡの幅ｗ方向に部分的にｄ2 ＝０であってもよい。
【００２２】
本発明のラベルＡの物品の周面に対する巻き付け方法としては、図１（ａ）に示す本発明のラベルＡの巻き付け方向（両矢印方向）の他端部１ｂの裏面を、図１（ｂ）に示すように、容器等の物品Ｂの外周面に密着して位置決めした後、物品Ｂの外周面に沿って、該ラベルＡを該ラベルＡの一端部１ａ側の方向に向かって１回巻きにて巻き付ける。
【００２３】
これにより、最初に位置決め固定した該ラベルＡの他端部１ｂの表面に、巻き付けられた該ラベルＡの一端部１ａの裏面（接着領域２）を重ね合わせる。その後、その重ね合わせ面を、適宜な加熱手段（例えば、電熱方式又は超音波方式等のヒートシーラー）にて加熱する。そして、重ね合わせ内面側の接着領域２の感熱性接着剤（加熱融着性接着剤）による感熱性接着剤層を溶融し、該ラベルＡの一端部１ａと他端部１ｂとを接着することにより、該ラベルＡを物品Ｂに貼着固定するものである。
【００２４】
また、本発明のラベルＡは、図１（ａ）に示すようにラベルＡの他端部１ｂ裏面に易剥離可能な感圧接着剤（粘着剤）層又は感熱性感圧接着剤層による易剥離性の仮止め接着領域４を設けることができる。なお、前記感熱性感圧接着剤は、感熱性粘着剤（例えば東洋インキ製造（株）製）があり、加熱により溶媒入りマイクロカプセルが破壊して溶質分を溶解し粘着性を呈するものである。
【００２５】
これにより、図１（ｂ）に示すように、該ラベルの他端部１ｂを、該易剥離可能な粘着剤層又は感熱性粘着剤層による易剥離性の仮止め接着領域４にて、物品Ｂの表面に仮り貼着固定することができる。この仮り貼着固定により、容器等の物品Ｂの外周面に密着して位置決めした後、物品Ｂの外周面に沿って、該ラベルＡを該ラベルＡの一端部１ａ側の方向に向かって１回巻きにて巻き付ける。
【００２６】
そして、巻き付けられた該ラベルＡの一端部１ａの裏面（接着領域２）を、固定された該ラベルＡの他端部１ｂの表面上に重ね合わせる。続いて、その重ね合わせ面を、適宜な加熱手段（例えば、電熱方式又は超音波方式等のヒートシーラー）にて加熱する。そして重ね合わせ内面側の接着領域２の感熱性接着剤（加熱融着性接着剤）による感熱性接着剤層を溶融して該ラベルＡの一端部１ａと他端部１ｂとを接着する。これにより、該ラベルＡを物品Ｂの表面の貼着すべき位置にラベルＡを位置決め固定して、物品Ｂの周面に正確に巻き付け貼着することができる。
【００２７】
このようにして、図２（ａ）の全体斜視図に示すように、本発明のラベルＡを周面に巻
き付けて貼着固定した容器等の物品Ｂが得られ、図２（ｂ）の部分平面断面図に示すように、本発明のラベルＡの一端部１ａの裏面が他端部１ｂの表面に重ね合わせられて、容器等の物品Ｂの周面に貼着される。
【００２８】
また、本発明のラベルＡの物品の周面に対する巻き付け方法としては、図１（ａ）に示す本発明のラベルＡの非接着領域３内に、易剥離可能な粘着剤層又は感熱性粘着剤層による易剥離性の仮止め接着領域（図示せず）を設けることができる。
【００２９】
これにより、該ラベルＡを該ラベルＡの一端部１ａ側の方向に向かって１回巻きにて巻き付けて、巻き付けられた該ラベルＡの一端部１ａの裏面（接着領域２）を、固定された該ラベルＡの他端部１ｂの表面上に重ね合わせた際に、該ラベルＡの一端部１ａを他端部１ｂの表面上に仮止めすることができる。そのために、加熱手段にて加熱する際には、ラベルの巻き戻りや巻き弛みを防止しながら、円滑に該ラベルＡの一端部１ａと他端部１ｂとを接着することができる。
【００３０】
図３（ａ）〜（ｃ）は、ラベル基材１の一端部１ａ側に形成する接着領域２の各種形状パターンを説明する本発明のラベルＡの平面図であり、図３（ａ）は、ラベル基材１の一端部１ａの接着領域２内の非接着領域３内に、該接着領域２（外側の接着領域）に対して間隔（感熱性接着剤層の塗布形成されていない非接着領域３）を置いて、さらに感熱性接着剤層を塗布形成した内側の接着領域２を形成したものである。
【００３１】
図３（ｂ）は、ラベル基材１の一端部１ａの接着領域２内に、矩形状パターンの複数（矩形ドット状等）の非接着領域３を形成したものである。また、図３（ｃ）は、ラベル基材１の一端部１ａの接着領域２内に、円形状パターンの複数（円形、楕円、長円ドット状等）の非接着領域３を形成したものである。
【図面の簡単な説明】
【００３２】
【図１】（ａ）は本発明の易剥離性ラベルの一実施の形態を説明する平面図、（ｂ）は本発明の易剥離性ラベルを容器等の物品の周面に巻き付け（巻回）て貼着する状態を説明する斜視図。
【図２】（ａ）は本発明の易剥離性ラベルを容器等の物品の周面に巻き付け（巻回）て貼着した状態を説明する斜視図、（ｂ）はその部分平面断面図。
【図３】（ａ）〜（ｃ）は本発明の易剥離性ラベルの他の実施例の形態を説明する平面図。
【符号の説明】
【００３３】
Ａ…易剥離性ラベル
Ｂ…容器等の物品
１…ラベル基材
２…接着領域
３…非接着領域
４…仮止め接着領域
【図１】
2007086595.tif 000003
【図２】
2007086595.tif 000004
【図３】
2007086595.tif 000005